(57)【要約】【課題】手元スイッチを操作せずに、トラクタの走行を停止させることで、散布機からの散布も停止するようにした散布機用動作切替え装置を提供する。【解決手段】トラクタＢに搭載されて電動モータ２ｃによる駆動回転によって散布タンク１内の被散布物の散布が行われる散布機Ａの動作切替え装置であって、電動モータ２ｃの始動／停止切替え、または、正転／逆転切替えを行うフットスイッチ６を、トラクタＢのクラッチペダル５の踏み込み後方に備え、該クラッチペダル５を踏み込んだときに、電動モータ２ｃが停止または逆転するように構成してなる。【選択図】図１
0003160992.tif 000002
【実用新案登録請求の範囲】
【請求項１】
トラクタに搭載されて、散布タンク内の被散布物の散布が電動モータによる駆動回転によって行われるように構成されている散布機の動作切替え装置であって、
前記電動モータの始動／停止切替え、または、正転／逆転切替えを行うスイッチを、前記トラクタのクラッチペダルの踏み込み後方に備え、該クラッチペダルを踏み込んだときに、前記電動モータが停止または逆転するように構成してなることを特徴とする散布機用動作切替え装置。
【請求項２】
前記スチッチは、押されることで通電状態が解除されるプッシュスイッチであり、前記クラッチペダルのペダルロッドの後方に位置して配され、該ペダルロッドに備えられているスイッチ解除部材によって押されるように構成されていることを徴とする請求項１に記載の散布機用動作切替え装置。
【考案の詳細な説明】
【技術分野】
【０００１】
本考案は、散布機用動作切替え装置に係り、詳しくは、トラクタの後部または前部に搭載されて、散布タンク内の被散布物の散布が電動モータによる駆動回転によって行われるように構成されている散布機の電動モータの始動／停止切替え、または、正転／逆転切替えを行う動作切替え装置に関する。
【背景技術】
【０００２】
例えば、トラクタの後部に搭載される散布機は、トラクタの後部にドローバーや三点ヒッチなどにより装着される耕耘ロータリーなどの作業機の上方に、三点支持リンク機構によって搭載されて、耕耘ロータリーによる耕耘と平行して粒状の肥料や種子、または粉状、砂状の石灰などの粉粒物（被散布物）を散布するようになっている。
【０００３】
また、近年では、耕耘ロータリーによる耕耘と平行して行われる散布機による肥料などの散布に加えて、さらに成形機による畝の成形が平行して行われるようになっている。
成形機は、耕耘ロータリーに連結されて当該ロータリーの後方に装着されて、畝の成形作業時に、耕耘ロータリーとともにトラクタに牽引されるようになっている。
【０００４】
ところで、トラクタの後部または前部に搭載される散布機の電動モータの始動／停止切替え、または、正転／逆転切替えを行う動作切替え装置は、トラクタの運転席に設けられている手元スイッチであり、この手元スイッチによる切替え操作によって散布機の動作切替え（散布開始、散布停止）が行われるようになっている（例えば、特許文献１および特許文献２などを参照）。
また、成形機を用いた畝の成形作業では、散布機の散布タンクへの粉粒物の補充、そして、成形された畝に沿って被せられるビニールシートの補充などによって作業を一時中断する必要がある。つまり、トラクタを止めて、粉粒物やビニールシートの補充が必要となる。
【先行技術文献】
【特許文献】
【０００５】
【特許文献１】特開平１１―１１３４７３号公報（段落番号００１０などを参照）
【特許文献２】特開２００３−１２５６２１号公報（段落番号００１２などを参照）
【考案の概要】
【考案が解決しようとする課題】
【０００６】
しかしながら、従来技術では、散布機の動作切替え（散布開始、散布停止）は、運転席の手元スイッチによって行うようになっており、一方、トラクタの走行停止は、運転席の足元にあるクラッチペダルを踏み込むことで行うようになっている。
そのために、運転者は粉粒物やビニールシートの補充時にクラッチペダルを踏むものの、手元スイッチを操作して散布機の散布停止を行うことをわすれてしまうことがある。つまり、運転者は、クラッチペダルを踏んでトラクタを停止させることに気がとられて、散布機の散布停止操作をわすれる。または、トラクタを停止させることで、散布機の散布を停止させたという錯覚をおこして操作をわすれることがある。
また、トラクタを停止させた以後も散布機からの散布が継続していることから、肥料などが一ヶ所に必要以上に散布されてしまうなどによる肥料の無駄や、肥料のやりすぎによる野菜などの生育に影響を与えるなどの問題を引き起こす要因ともなっていた。
【０００７】
なお、従来では、トラクタの後部に装着される耕耘ロータリーを作業の途中で持ち上げることで、散布機の電動モータが停止（散布停止）するように構成されている散布機が知られている。しかしながら、成形畝の成形途中で耕耘ロータリーを持ち上げると、成形畝が崩れ、その作業を継続することができない。そのために、成形畝の成形作業のときには使用することができないものとなっていた。
【０００８】
そこで、本考案は、前記課題を解消するために創案されたものであり、手元スイッチを操作せずに、トラクタの走行を停止させることで、散布機からの散布も停止するようにした散布機用動作切替え装置を提供することにある。
【課題を解決するための手段】
【０００９】
前記課題を解決するために、本考案では、トラクタに搭載されて、散布タンク内の被散布物の散布が電動モータによる駆動回転によって行われるように構成されている散布機の動作切替え装置であって、
前記電動モータの始動／停止切替え、または、正転／逆転切替えを行うフットスイッチを、前記トラクタのクラッチペダルの踏み込み後方に備え、該クラッチペダルを踏み込んだときに、前記電動モータが停止または逆転するように構成してなることを特徴とする。
ここで、前記フットスイッチは、押されることで通電状態が遮断されるプッシュスイッチであり、前記クラッチペダルのペダルロッドの後方に位置して配され、該ペダルロッドに備えられているスイッチ解除部材によって押されるように構成されていることが好適なものとなる。
【００１０】
このような構成によれば、畝の成形作業中にトラクタのクラッチペダルを踏み込むことで、電動モータを停止または逆転させて、散布機からの散布を止めることができる。
【考案の効果】
【００１１】
本考案の散布機用動作切替え装置によれば、畝の成形作業中などにクラッチペダルを踏み込むことで、電動モータを停止または逆転させることができる。つまり、散布機からの散布を停止させることができる。
これにより、従来技術のように、手元スイッチによる散布機の散布停止操作が不要となることで、トラクタの走行を停止させた以後において、肥料などの粉粒粒が無駄になることを防ぐことができる。また、肥料のやりすぎなどによる野菜などの生育への影響を抑止することができる。
【図面の簡単な説明】
【００１２】
【図１】本実施形態に係る動作切替え装置が適用された散布機をトラクタの後部に搭載させた状態を示す側面図である。
【図２】同散布機の散布部を示す拡大断面図である。
【図３】本実施形態に係る動作切替え装置の電気配線構成説明図である。
【図４】クラッチペダルの踏み込み後方におけるトラクタ車体部に、フットスイッチを取り付ける状態を示す斜視図である。
【図５】同クラッチペダルのペダルロッド連繋部材に備えられるスイッチ解除部材とフットスイッチの関係を示す要部の概略側面図である。
【考案を実施するための形態】
【００１３】
以下、本考案の実施形態について、適宜図面を参照しながら詳細に説明する。
図１は、本実施形態に係る動作切替え装置が適用された散布機をトラクタの後部に搭載させた状態を示す側面図であり、図２は、同散布機の散布部を拡大して示す断面図である。
なお、散布機ＡのトラクタＢへの搭載としては、トラクタＢの前部への搭載と、トラクタＢの後部への搭載とが主であるが、本実施形態は、図１に示すように、トラクタＢの後部に搭載した形態を一例に挙げて説明する。
【００１４】
≪散布機の構成≫
散布機Ａは、図１に示すように、トラクタＢの後部に、ドローバーや三点ヒッチなどにより装着される耕耘ロータリーＣの上方に、三点支持リンク機構Ｅによって搭載されて、散布タンク１内の粉粒物（肥料などの被散布物）を、畑の成形畝に散布するように構成されている。
この散布機Ａは、装置機枠ａの上に取り付けられる散布タンク１と、この散布タンク１のタンク底部に取り付けられる散布部２と、この散布部２から畝などの土壌表面近くにわたりそれぞれ取り付けられる複数本の散布ホース３とを備えて構成されている。
【００１５】
散布部２は、図２に示すように、分配漏斗２ａ、この分配漏斗２ａ内に回転可能に横架内設される繰出しロール２ｂ、この繰出しロール２ｂを駆動回転させる電動モータ２ｃを備えて構成されている。
【００１６】
このように構成されている散布機Ａの散布部２は、図１に示すように、トラクタＢの運転席Ｓに設けられている手元スイッチ４による電動モータ２ｃの始動／停止切替え操作によって散布動作（散布開始、散布停止）の切替えが行われるようになっている。
【００１７】
そして、本実施形態では、電動モータ２ｃの始動／停止切替え操作による散布機Ａの散布動作（散布開始、散布停止）の切替えを、手元スイッチ４の代替えとして、走行中のトラクタＢを停止させるクラッチペダル５を踏み込む、その踏み込み状態を解除する作業者の足元操作によって行うことができるように、手元スイッチ４の他にフットスイッチ（足元スイッチ）６を接続備えた動作切替え装置７によって、トラクタＢの図示省略の電源部（バッテリ）と散布機Ｂの電動モータ２ｃとを接続してなる構成を採用してなる。
【００１８】
≪動作切替え装置の構成≫
図３は、本実施形態に係る動作切替え装置の電気配線構成説明図である。
動作切替え装置７は、配線一端側に電源部への接続端子（コネクタ）８を備え、配線他端側に電動モータ２ｃへの接続端子（ギボシ）９を備え、配線途中に手元スイッチ（スイッチボックス）４とコントロールボックス１０となどが接続備えられている既設配線部７ａにフットスイッチ(スイッチボックス)６を接続備えてなるものである。
この動作切替え装置７は、図３に示すように、電源部への接続端子８側に位置する既設配線部７ａの配線途中部位から分岐させた新たな分岐配線部７ｂを備えて、この分岐配線部７ｂにフットスイッチ６を接続するように構成されている。
【００１９】
フットスイッチ６は、スイッチ部６ａが押されることで接点が離れて通電が遮断されるように形成されているプッシュスイッチであり、図に示すように、分岐電源部７ｂの接続端子（ギボシ）１１に差し込み接続される接続端子（ギボシ）１２を備えて、既設配線部７ａの配線途中部位に接続されるように形成されている。
【００２０】
図４は、クラッチペダルの踏み込み後方におけるトラクタ車体部に、フットスイッチを取り付ける状態を示す斜視図であり、図５は、クラッチペダルのペダルロッド連繋部材に備えられるスイッチ解除部材とフットスイッチの位置関係を示す要部の概略側面図である。
そして、このように既設配線部７ａに分岐配線部７ｂを介して備えられるフットスイッチ６は、図４および図５に示すように、クラッチペダル５のペダルロッド連繋部材５ａの後方（クラッチペダル５の踏み込み後方）に位置するトラクタＢの車体部ｂに、スイッチ取付金具１３を介して取り付けられて、ペダルロッド連繋部材５ａ側に取り付けられるスイッチ解除部材１４によって押されることで、電動モータ２ｃへの通電を遮断するようになっている。
つまり、クラッチペダル５を踏み込まれたとき、スイッチ解除部材１４がフットスイッチ６のスイッチ部６ａを押して、トラクタＢの電源部から電動モータ２ｃへの電流の流れが遮断されるようになっている。
【００２１】
［作用説明］
つぎに、以上のように、既設配線部７ａにフットスイッチ６を備えてなる動作切替え装置７を適用させた散布機Ａに動作について簡単に説明する。ここでは、図１および図５を適宜参照しながら説明する。
図１に示すように、耕耘ロータリーＣの後方に装着される成形ロータリーＤを用いた成形畝の成形作業中において、散布タンク１への粉粒物の補充、そして、成形された成形畝の土俵表面に被せられるロール巻ビニールシートの補充などのために、作業を一時中断するときに、クラッチペダル５を踏み込んでトラクタＢの走行を停止させると（図５の実線の状態から二点鎖線の状態）、フットスイッチ６のスイッチ部６ａがクラッチペダル５のペダルロッド連繋部材５ａに備えられているスイッチ解除部材１４に押されて散布部２の電動モータ２ｃへの電流の流れを遮断し、電動モータ２ｃを停止させる。
これにより、散布機Ａからの粉粒物の散布が停止される。つまり、手元スイッチ４を操作することなく、しかも、耕耘ロータリーＣおよび成形ロータリーＤによる畝成形の成形姿勢を変えることなく、トラクタＢの走行停止と同時に、散布機Ａからの粉粒物の散布を停止させて、散布タンク１への粉粒物の補充やビニールシートの補充を行うことができる。
【００２２】
そして、散布タンク１への粉粒物の補充、ビニールシートの補充が終了したところで、クラッチペダル５から足を離すトラクタＢの走行開始と同時に、フットスチッチ６の接点が通電状態となって散布部２の電動モータ２ｃに電流が流れて散布ロール２ｂを駆動回転させて散布機Ａからの粉粒物の散布が開始する。
【００２３】
なお、本考案の実施形態の具体的な構成は、前記した実施形態に限られるものではなく、請求項１および請求項２に記載の本考案の要旨を逸脱しない範囲で設計変更などがあっても本考案に含まれるものである。
フットスイッチ６によって電動モータの正転／逆転切替えを行うことができる。例えば、散布部がシャッターユニットによってスライド開閉可能に形成されている散布機の場合では、シャッターユニットの可動シャッターを、電動モータの正転によって開方向にスライド、電動モータの逆転によって閉方向にスライドさせるその動作切替えをフットスイッチ６によって行うことができる。
この場合、フットスイッチ６は、トラクタＢのクラッチペダル５を踏み込んだときに電動モータを逆転させ、クラッチペダル５から足を離したときに電動モータを正転させるスイッチ接点構造をなし、一方、電動モータは、フットスイッチ６の正転／逆転切替え操作によって正転／逆転する正逆切替えモータである。
【符号の説明】
【００２４】
Ａ      散布機
１      散布タンク
２      散布部
２ｂ    散布ロール
２ｃ    電動モータ
４      手元スイッチ
５      クラッチペダル
５ａ    ペダルロッド連繋部材
６      フットスイッチ
７      動作切替え装置
Ｂ      トラクタ
Ｃ      耕耘ロータリー
Ｄ      成形ロータリー
【図１】
0003160992.tif 000003
【図２】
0003160992.tif 000004
【図３】
0003160992.tif 000005
【図４】
0003160992.tif 000006
【図５】
0003160992.tif 000007